(57)【要約】【課題】  洗い場での使用者に効率良く光を届けることができ、壁の撓みで蛍光管が破損することのない浴室用横長照明装置を提供する。【解決手段】  浴室の一壁面が２枚以上の壁パネル９ａ，９ｂによって構成され、該２枚以上の壁パネル９ａ，９ｂに跨がって設けられる横長照明装置８であって、該横長照明装置８は、１枚の横長カバーで蛍光管を覆う構成であり、蛍光管は、前記各壁パネル９ａ，９ｂより幅の短い２以上の蛍光管１２ａ，１２ｂで構成されて、各壁パネル９ａ，９ｂ毎に設置されている。【選択図】        図４
2005339914.tif 000002
【特許請求の範囲】
【請求項１】
浴室の一壁面が２枚以上の壁パネルによって構成され、該２枚以上の壁パネルに跨がって設けられる横長照明装置であって、該横長照明装置は、１枚の横長カバーで蛍光管を覆う構成であり、前記蛍光管は、前記各壁パネルより幅の短い２以上の蛍光管で構成されて各壁パネル毎に設置されていることを特徴とする浴室用横長照明装置。
【請求項２】
前記一壁面は浴槽および洗い場に面する壁面であり、前記蛍光管のうち洗い場側の壁パネルに設置される蛍光管は、洗い場の正面中央に配置されていることを特徴とする請求項１に記載の浴室用横長照明装置。
【発明の詳細な説明】
【技術分野】
【０００１】
本発明は、浴室内の壁面に設置される浴室用横長照明装置に関するものである。
【背景技術】
【０００２】
従来、特許文献１に開示されているように、浴室内の２枚以上の壁面に渡って設置された１本の蛍光管を使用した浴室用横長照明装置が存在する。
また、特許文献２に開示されているように、撓みの影響を受けない天井面に設置された浴室用横長照明装置も存在する。
【特許文献１】特開平８−２０３３１３号公報
【特許文献２】特開２００１−１９５９１８号公報
【発明の開示】
【発明が解決しようとする課題】
【０００３】
特許文献２に開示されているように、天井面に設置された横長照明装置においては、天井は撓むことが少ないため、撓みの影響を受けないが、特許文献１に開示されているように、２枚以上の壁面に渡って設置された横長照明装置では、衝撃等で浴室の壁面に撓みが生ずる場合が多々あり、壁面に撓みが生ずると、１本の蛍光管を使用した横長照明装置では、蛍光管が破損する可能性があるという問題点があった。
また、１本の蛍光管を使用した構成では、特に浴室の洗い場に効率良く光を届けるために、洗い場側の中央に蛍光管を設置することが難しくなるという問題点があった。
【課題を解決するための手段】
【０００４】
本発明は上記従来の問題点に鑑み案出したものであって、壁の撓みで蛍光管が破損することがなく、また、洗い場での使用者に効率良く光を届けることのできる浴室用横長照明装置を提供せんとするものであり、請求項１は、浴室の一壁面が２枚以上の壁パネルによって構成され、該２枚以上の壁パネルに跨がって設けられる横長照明装置であって、該横長照明装置は、１枚の横長カバーで蛍光管を覆う構成であり、前記蛍光管は、前記各壁パネルより幅の短い２以上の蛍光管で構成されて各壁パネル毎に設置されていることである。
また、請求項２は、前記一壁面は浴槽および洗い場に面する壁面であり、前記蛍光管のうち洗い場側の壁パネルに設置される蛍光管は、洗い場の正面中央に配置されていることである。
【発明の効果】
【０００５】
本発明は、浴室の一壁面が２枚以上の壁パネルによって構成され、２枚以上の壁パネルに跨がって設けられる横長照明装置であって、各壁パネルより幅の短い２以上の蛍光管で構成されて、蛍光管は各壁パネル毎に設置されていることにより、各壁パネル毎に短い蛍光管が設置されて、２枚以上の壁パネルの接合部が衝撃等を受けて撓んだ場合でも、蛍光管にストレスが掛からず、壁パネルの撓みで蛍光管が破損することがない。
【０００６】
また、一壁面は浴槽および洗い場に面する壁面であり、蛍光管のうち洗い場側の壁パネルに設置される蛍光管は、洗い場の正面中央に配置されていることにより、洗い場の中央に１本の蛍光管を良好に設置することができ、洗い場内での使用者の左右均等に光が当たり、物が見えやすくなり、洗い場全体に効率良く光を届けることができるものとなる。
【実施例】
【０００７】
以下、本発明の実施例を図面に基づいて説明する。
図１は、浴室の斜視構成図であり、浴室１内に設置された浴槽２の側方には洗い場３が形成されており、浴槽２と洗い場３側に渡り横方向に鏡４とカウンター５が設置されて、カウンター５の洗い場側には水栓６が設置されている。また、カウンター５の下方の洗い場３側には洗面器台７が設置されている。
【０００８】
また、カウンター５と平行状に、浴槽２および洗い場３に面する壁面の上部には横長の照明装置８が設置されており、本例では、この横長照明装置８は、浴室の壁面を構成する第１壁パネル９ａと第２壁パネル９ｂに跨がって設置されており、例えば１．８ｍ程度の高さに設置されて、不意に手をついたり、上面に物を置いたりすることのできないような高さ位置に設定されている。
【０００９】
図２には、この横長照明装置８の拡大図を示し、また図３では、横長照明装置８の横長カバー１０を開けて内部の蛍光管を交換する場合の斜視図を示している。また図４は、横長カバー１０を取り外した状態の構成部材の斜視構成図である。
【００１０】
横長照明装置８は、押出成形された１本の横長カバー１０で、２本の蛍光管１２ａ，１２ｂを覆うように構成されている。
第１蛍光管１２ａと第２蛍光管１２ｂは、それぞれ例えば６０cmの長さで２４ワットのものが使用されている。
第１蛍光管１２ａは第１壁パネル９ａに設置されており、また、第２蛍光管１２ｂは洗い場３側の第２壁パネル９ｂに設置されて、洗い場３の正面中央に第２蛍光管１２ｂが位置するように振り分けられている。
【００１１】
なお、第１蛍光管１２ａ及び第２蛍光管１２ｂは、１枚物の台座１１に取り付けられており、この台座１１はステンレス板を折り曲げて形成したものであり、第１壁パネル９ａと第２壁パネル９ｂの接合部Ｃを跨いで、第１壁パネル９ａ及び第２壁パネル９ｂに固定されている。
この台座１１の左右方向中央部には、図５に拡大して示すように、水平面内で回動可能に支え金具１３が設けられており、蛍光管１２ａ，１２ｂを交換する際等には、この支え金具１３を前方側へ回転させて、横長カバー１０を図３のように開けた状態に保持できるものである。
【００１２】
なお、図６には、台座１１の右端側の要部を拡大して示し、また図７には、台座１１の左端側を拡大して示しており、台座１１は、上縁に鉤状に折り曲げて上面折曲片１１ａが形成され、また、下縁には傾斜状に上方へ折り曲げて下面折曲片１１ｂが形成されている。また、台座１１の左右両端側には９０°折曲して側面片１１ｃ，１１ｃが形成されており、各側面片１１ｃの下方には、略水平状に折り曲げて固定片１１ｄ，１１ｄが形成されており、各固定片１１ｄには、雌ネジを形成したネジ孔１１ｅが開口されている。
【００１３】
なお、台座１１には４個のソケット１４が突出されており、このソケット１４に、防水用ネジ１５を介在させて着脱可能に第１蛍光管１２ａ及び第２蛍光管１２ｂを取り付けできるものである。
また、中央部の支え金具１３は、上下両端側に形成した軸片１３ｄ，１３ｄが、台座１１から突出された上支持片１１ｆと下支持片１１ｇに差し込まれており、この軸片１３ｄ，１３ｄを中心として、台座１１と平行状に収納される収納位置から前方側へ突出する使用位置に亘り回動できるように構成されている。
【００１４】
なお、図９に側面側から拡大して示すように、支え金具１３は、上水平片１３ａと傾斜状の下傾斜片１３ｂが先端の係止立上曲部１３ｃで連結されており、軸片１３ｄ，１３ｄを中心として図９のように前方側へ突出させた状態では、横長カバー１０を上水平片１３ａ上に載せて開いた状態に保持することができ、この時に係止立上曲部１３ｃにより横長カバー１０の前方側への滑り落ちを良好に防ぐことができるように構成されている。
【００１５】
なお、図８は、横長カバー１０を閉じた状態の側面拡大構成図であり、本例では、横長カバー１０は、前面が傾斜状の着色不透明部１０ａで、上面側及び下面側が透明部１０ｂ，１０ｃとなっており、光は上方及び下方に照射され、間接照明効果が得られるように構成されている。
また、横長カバー１０の上面の透明部１０ｂの後端には、上方へ立ち上げて引っ掛け片部１０ｄが一体形成されており、この引っ掛け片部１０ｄが、台座１１の上面折曲片１１ａの内側に係合されて取り付けられている。
【００１６】
また、横長カバー１０の下面側から、カバー固定用ネジ１６を横長カバー１０を通して、前述した左右端側の固定片１１ｄのそれぞれのネジ孔１１ｅに締め付けることにより、横長カバー１０の下面側を台座１１に固定できるように構成されている。
なお、台座１１の上面折曲片１１ａの上端縁には、壁面との間にほぼ全域に亘りシリコンＳが充填されて、横長カバー１０内への水滴の侵入が防がれている。
なお、蛍光管１２ａまたは１２ｂを交換する際には、このカバー固定用ネジ１６を弛め、図９のように支え金具１３上に横長カバー１０を保持させて、良好に交換作業を行うことができるものである。
【００１７】
なお、台座１１と横長カバー１０を連結するために、左右両端側にはカバー脱落防止紐１７，１７を設けておき、このカバー脱落防止紐１７の上端に着脱部材１８ａを設け、下端に輪っか部１８ｂを設けておき、上方の着脱部材１８ａを、例えば台座１１の側面片１１ｃに貼着等し、下端側の輪っか部１８ｂを、横長カバー１０の左右側壁に突設されている突起部材１８ｃに引っ掛けておけば、横長カバー１０を図９のように回転させ開けた場合にも、横長カバー１０の台座１１からの脱落を良好に防ぐことができるものとなる。
【００１８】
なお、輪っか部１８ｂを突起部材１８ｃから取り外し、また、横長カバー１０の引っ掛け片部１０ｄを台座１１の上面折曲片１１ａから外して、横長カバー１０を台座１１から完全に取り外すことができ、横長カバー１０を取り外して清掃することも可能である。
【００１９】
また、本例では、第１壁パネル９ａ及び第２壁パネル９ｂのそれぞれに第１蛍光管１２ａ及び第２蛍光管１２ｂが設置されている構成であるため、浴室内で第１壁パネル９ａまたは第２壁パネル９ｂに衝撃とか押圧力が加わって接合部Ｃが撓んだ場合にも、蛍光管１２ａ，１２ｂにストレスが加わることはなく、蛍光管１２ａ，１２ｂが破損することはない。
また、第２蛍光管１２ｂは、洗い場３の正面中央に配置されるため、洗い場３の使用者に対し左右均等に光が当たり、物が見やすいものとなる。
【００２０】
なお、図１０は、横長照明装置８を鏡４の上端縁に沿って配置したものであり、このような構成においても、洗い場３を明るく照らすことができ、しかも、蛍光管１２ａ，１２ｂは壁の接合部Ｃが撓んでも破損することがなく、安全なものとなる。
【図面の簡単な説明】
【００２１】
【図１】浴室内の斜視構成図である。
【図２】浴室内の壁面に設置された横長照明装置の斜視構成図である。
【図３】図２の横長照明装置の横長カバーを開けた状態の斜視構成図である。
【図４】横長照明装置の横長カバーを取り外した状態の斜視構成図である。
【図５】図４の中央部の拡大斜視構成図である。
【図６】図４の右端側の拡大斜視構成図である。
【図７】図４の左端側の拡大斜視構成図である。
【図８】横長照明装置の横長カバーを閉じた状態の側面概略拡大構成図である。
【図９】支え金具で横長カバーを開いた状態に保持している状態の側面概略拡大構成図である。
【図１０】横長照明装置を鏡の上端に設置した構成の浴室の斜視図である。
【符号の説明】
【００２２】
１  浴室
２  浴槽
３  洗い場
４  鏡
５  カウンター
８  横長照明装置
９ａ  第１壁パネル
９ｂ  第２壁パネル
１０  横長カバー
１０ａ  着色不透明部
１０ｂ，１０ｃ  透明部
１０ｄ  引っ掛け片部
１１  台座
１１ａ  上面折曲片
１１ｂ  下面折曲片
１１ｃ  側面片
１１ｄ  固定片
１１ｅ  ネジ孔
１１ｆ  上支持片
１１ｇ  下支持片
１２ａ  第１蛍光管
１２ｂ  第２蛍光管
１３  支え金具
１３ａ  上水平片
１３ｂ  下傾斜片
１３ｃ  係止立上曲部
１３ｄ  軸片
１４  ソケット
１６  カバー固定用ネジ
１７  カバー脱落防止紐
Ｃ  接合部
【図１】
2005339914.tif 000003
【図２】
2005339914.tif 000004
【図３】
2005339914.tif 000005
【図４】
2005339914.tif 000006
【図５】
2005339914.tif 000007
【図６】
2005339914.tif 000008
【図７】
2005339914.tif 000009
【図８】
2005339914.tif 000010
【図９】
2005339914.tif 000011
【図１０】
2005339914.tif 000012